(57)【要約】      （修正有）【課題】身体を冷却するファン付き衣服を提供する。【解決手段】衣服１の背部の１乃至複数個所に穴を開けて、その穴を覆うように網目状布４、５を該衣服１に縫い止める。着衣者側網目状布４と外部側網目状布５並びに底部１０とからポケット１２を形成する。そのポケット１２の内部へモータ付きファン２を駆動電源３と共に挿入する。該モータ付きファン２はケーシングが羽根の周方向を覆うように形成されて外観が略直方体を呈し、内部が四角いポケット１２に該ケーシングの側面が収まり易く、かつ、電源３を固定し易い。こうしてモータ付きファン２はポケット１２内に保持されつつ網目状布４、５を通じて外部空気が着衣者に吹き付けられる。【選択図】図１
0003225480.tif 000002
【実用新案登録請求の範囲】
【請求項１】
衣服本体の一部に着衣者側と外部側に開口を形成してファン装置の挿入用ポケットを設け、このポケットの着衣者身体側と外部側の両方に多孔状布を取り付けたことを特徴とする衣服。
【請求項２】
衣服本体の一部に着衣者側と外部側に開口を形成してファン装置の挿入用ポケットを設け、このポケットに衣服本体の着衣者身体側に外部の空気を取り込む為の羽根を有するファン装置を備え、このポケットの着衣者身体側と外部側の両方に前記ファン装置を通じて空気流通可能な多孔状布を取り付けたことを特徴とする衣服。
【請求項３】
衣服本体の着衣者身体側に外部の空気を取り込む為の羽根を備え、該羽根の周方向をケーシングで覆って略直方体の外観をなすファン装置を、前記衣服本体に形成されるファン装置挿入用ポケットに挿入できるように構成し、当該ポケットの前記着衣者身体側と前記外部側の両方につき、前記ファンが衣服から脱落しない程度に空気流過できる多孔状に開口されており、前記ファン装置を収納しつつポケット内に保持することを特徴とする衣服。
【請求項４】
前記ポケットには前記ファン装置と共に該ファン装置の電源装置も挿入可能とする請求項２または３に記載の衣服。
【請求項５】
前記で電源装置は電池を収納した電池ケースである請求項４記載の衣服。
【請求項６】
前記ファンは３ボルト以下で駆動するコアレスタイプである請求項２乃至５いずれか１に記載の衣服。
【請求項７】
前記多孔状の開口は網目状の布により形成されていることを特徴とする請求項１乃至３いずれか１に記載の衣服。
【考案の詳細な説明】
【技術分野】
【０００１】
本考案は衣服に係り、特に着衣者を冷却するファン（モータ付きファン。以下、ファンと略すことがある）を備える衣服に関する。
【背景技術】
【０００２】
従来から、着衣者の身体を外部空気で冷却する為のファン付き衣類は知られている。更に、そのファンを衣服に固定する術として、衣服の取り付け箇所に大きな開口部を設けてファンを挿通したり、前後から外交部周辺を挟んだりする案が知られている。しかし、それらの例ではファン装置という重量物を開口周辺に直接取り付けるので、開口部分が傷み、破損し、ファン落下が懸念された。
【先行技術文献】
【特許文献】
【０００３】
【特許文献１】特開２０１７−１５０１２０号公報
【特許文献２】特開２０１７−１３３１２１号公報
【考案の概要】
【考案が解決しようとする課題】
【０００４】
上記２例に代表されるように、従来もモータ付きファン（以下、ファンモータと呼ぶことがある）をポケットに収納して、ファンの着脱自在化を図ったものはあった。すなわち従来のポケット収納式は  着衣者側（つまり衣服の裏地側）と外部側との両方にファンが落ちない程度の開口を設けて、その開口に対応するようにファンをポケットに挿入していた。こうすることによって開口周囲の布地の傷みは相当解消されたが、布開口の湾曲状態など変幻によってファンが落下する可能性が予想され、そのリスクを回避するのに開口をファンの羽根回動部の大きさ内に納めようとすると、ファンの空気取り入れ機能の一部を潰してしまうことになる。
【課題を解決するための手段】
【０００５】
そこで本考案の衣服は、衣服本体の一部に着衣者側と外部側に開口を形成してファン装置の挿入用ポケットを設け、このポケットの着衣者身体側と外部側の両方に多孔状布を取り付けたことを特徴とする。
【０００６】
また、本発明は、衣服本体の一部に着衣者側と外部側に開口を形成してファン装置の挿入用ポケットを設け、このポケットに衣服本体の着衣者身体側に外部の空気を取り込む為の羽根を有するファン装置を備え、このポケットの着衣者身体側と外部側の両方に前記ファン装置を通じて空気流通可能な多孔状布を取り付けたことを特徴としている。
【０００７】
また、本考案に係る衣服は、衣服本体の着衣者身体側に外部の空気を取り込む為の羽根を備えたファン装置を、衣服本体に形成されるファン装置挿入用ポケットに挿入できるように構成し、当該ポケットの着衣者身体側と外部側の両方が多孔状例えば網目状に開口されており、ファン装置を収納しつつ、ポケット内に保持することを特徴とする。
【０００８】
この多孔状の開口は、ファンが衣服から脱落しない程度に空気流過できる目の粗い網目状の布が好ましい。そしてこの網布は衣服の開口部周辺に縫い止めすることが有効である。
【０００９】
また、ファン装置は、羽根の周方向をケーシングに覆われて外観が略直方体（ファン回転による風路貫通孔を除く四方側面(周面)が略平板なので全体の外観が略直方体で平べったい外観になっている）で、略直方体のポケット内部にケーシング側面がフィットするようにして保持されることが好ましい。
【００１０】
本考案に用いる最適なファンは、数ボルト例えば３ボルト以下の乾電池で駆動できるコアレスのファンモータである。しかも軽量である。ただし、電池は乾電池に限らず、各種ボタン電池でも良いし、乾電池であっても海外製の５ボルト電池などを用いても良いし、各ファン装置に電池を付設させても、一つの電池で全ファン装置を駆動するものでも良い。これらの電池はケースに入れて用いる。また、ファン装置は防水タイプのものが好ましい。汗、雨、濡れタオル併用などを想定すると防水タイプが好ましく、実際、本考案の実施例に用いているファン装置は衣類事洗濯機で洗濯しても故障しない。
【００１１】
ポケットにはファン装置と共にファン装置の電源装置も挿入可能とすることも可能であり、或いはポケットから袖を通して着衣者の腕からファン装置の電源及び/又は制御のコードを引き出す通路を形成することも有効である。特に本考案に用いるファンのケーシングが略直方体であると、ケーシング側面に電源例えば乾電池ボックスを直接に接着などによって取り付けし易い。
【００１２】
また、ポケットにはファンと共に保冷剤のパックを収納しても良い。保冷剤のパックは一見、風の流通を妨げるように見えるが、このパックはファンの通風路を密閉するわけではないので、冷却風となって身体側へ供給するのに有効である。
【考案の効果】
【００１３】
本考案によればファンモータの位置を確実にポケット内に維持し、かつ服地の傷みを抑えることができる。
【図面の簡単な説明】
【００１４】
【図１】本考案の実施例にかかる衣服の使用状態を説明する概念図である。
【図２】本考案の実施例にかかる衣服の使用状態を説明する概念図である。
【図３】本考案の実施例にかかる衣服へのモータ付きファン取り付けを説明する概念図である。
【図４】本考案の実施例にかかる衣服へのモータ付きファン取り付けを説明する概念図である。
【図５】〜
【図１３】いずれも図１の例に用いるモータ付きファン例の外観図である。
【考案を実施するための形態】
【００１５】
以下、本考案の採用例につき、図面を用いて説明する。
図１に示したように、着衣者が衣服１例えば作業着を着ると、着衣者の背面６と衣服１の間に若干の空隙９ができる。この空隙９に向けて外部から空気を積極的に取り込んで空隙９内を冷却し、結果として着衣者の背面６を冷却する。
【００１６】
その外部空気の取り込みを行う機能が、モータ付きファン２である。ファン２は略直方体のケーシングに羽根の周方向が覆われるように形成されている。ポケット１２の内部（つまり略直方体の内容）にファンケーシングを挿入するとポケット１２にフィットし易くなっている。つまり、ファン装置は、羽根の周方向をケーシングに覆われて外観が略直方体（ファン回転による風路貫通孔を除く四方側面(周面)が略平板なので全体の外観が略直方体で平べったい外観になっている）で、略直方体のポケット内部にケーシング側面がフィットするようにして保持される。このファンの構成例は具体的に後述するが、本考案で用いるのに最適なファンはコアレスタイプで薄型、軽量を特徴とし、電池例えば１．５ボルト乾電池２本で十分稼働可能である。
【００１７】
本例では、図２（a）に示すように、衣服１の背面中央より下に左右２つのファン２が配置されている。各ファン２は左右それぞれポケット１２に収納されている。このポケット１２は、図1及び図２（ｂ）に示したように網目状布４，５（衣服１の裏地側が４、外部側（表側）が５になっている。尚、ポケット１２には底１０があって、挿入したモータ付きファン２が落下しないようになっている。また、各ポケット１２の網目状布４，５は本例において略四角形の布片であり、衣服１の四角の開口部の周辺に形成される縫い代１１において衣服１に縫い止めされている。
【００１８】
尚、各ファン２と共に電源３（電池及びそのケースを含み、モータ付きファン２を駆動すべく電線にてモータ付きファン２と接続する器具を含む。本願明細書の実施例においては単４の１．５ｖ乾電池２本を納めた電池ボックスを用いている。以下、同じ）も各ポケット１２に入っている。電源３は、ファン２の外側を包むケーシングの底面に接着されている。
【００１９】
尚、図２（a）のように、電源３からコード８を空隙９経由で袖７の口から出して、着衣者の前側でファン２の駆動を切り替えや制御をしても差し支えない。更に、本考案の変形例としては、電源３をポケット１２に入れずにモータ付きファン２に接続される電線をコード８として、袖７経由にて、着衣者の前面側に引き出し、つまり電源を着衣者の前面に配置しても良い。
【００２０】
ファン２の羽根の回転領域は略円環であるが、そのファン２はこれから説明する略直方体のケーシングに納められている。しかもこのケーシングはポケット１２の内部形状より若干薄肉で、縦横高さがポケット１２内にほぼフィットするようになっている。こうしてモータ付きファン２はそのケーシングとポケット１２により取付け位置が固定される。
【００２１】
以上の例では衣服１の服地開口が略四角であったが、ファン２を介した外部空気の流通路が確保するならば四角形である必要は無く、例えば、図３(a)に示すような円状の服地の裏側開口部取り付け位置１７であっても良い。この例では衣服１に円状の裏側開口部取付け位置１７を２つ設けて、その円状の縁に沿うように裏口開口部１４を固定している。この固定方法は縫っても良いし各種接着によっても構わない。そして図３に示したように、裏側開口部１４はファン２からの空気流の流通路になる多孔状であるならば、布には限定されないし、例示図に見るように網の目の粗さは限定されない。ただし、モータ付きファン２の装置自体がこの位置１７を通過してはならない。図示では円環を縦横の線で仕切って多孔にしてあるが、図３(ｂ)の右のように数個の円開口など、多孔の形状は実施例に限定されない。
【００２２】
図３（ｂ）の符号１６はポケット縫い付け位置である。この位置にポケット生地１３を縫い付ける。ポケット生地１３には表側開口部１５が形成されている。この表側開口部１５も前述の裏側開口部１４と同様に円状でも良いが勿論これには限定されない（四角でも構わない）。この例ではポケット生地１３に円状の表側開口部取付け位置(図示省略)を２つ設けて、その円状の縁に沿うように表側開口部１５を固定している。この固定方法は縫っても良いし各種接着によっても構わない。そして図３に示したように表側開口部１５はファン２への空気流の供給路になる多孔状であるならば、布には限定されないし、多孔の目の粗さは限定されない。ただし、モータ付きファン２の装置自体がこのポケット生地１３の開口から脱落してはならない。裏側同様、円環を縦横の線で仕切って多孔にしてあるが、図３(ｂ)の右のように数個の円開口など、多孔の形状は実施例に限定されない。
【００２３】
以上に述べたように、本考案御実施例によればモータ付きファン２の衣服１への着脱が用意であり、脱落もしない。
以下、図５〜１２を用いて本考案に用いるに最適なモータ付きファン２の例を説明する。図５はモータ付きファン２（以下、ファンモータという）の一実施形態の正面図であり、図６は図５に図示のファンモータの一部を破切して表した背面図である。図７はファンモータが備えているファン抜け防止カバーの機能を説明する図であって、（ａ）はファンモータの正面図、（ｂ）は図７（ａ）のＡ−Ａ線部断面図である。そして図８はファン抜け防止カバーを採用せず、他の手段でファン抜け防止を行う場合を説明する図であって、（ａ）は表面実装用ファンモータの正面図、（ｂ）は図８（ａ）のＢ−Ｂ線断面図である。
【００２４】
また図９はファンモータの他の実施形態の正面の下側から見た斜視図であり、図１０は図９図示のファンモータの背面の下側から見た斜視図である。そして図１１はファンモータの他の実施形態の正面の上側から見た斜視図であり、図１２は図１１のファンモータの一部を破切して表した背面側から見た斜視図である。
【００２５】
図５に図示の実施形態のファンモータ２は、ケース１８とケース１８の内部に収容されるファンモータ部１９とからなる。ケース１８は内部が図５（ｂ）の上下方向に貫通している貫通形状である。
【００２６】
ファンモータ部１９は、図５（ｂ）図示のように、シャフト２０がケース１８を貫通する方向に伸びている状態でケース１８の貫通部に収容されている。
ファンモータ部１９は、シャフト２０に固定されているロータハブ２１の周囲にシャフト２０が伸びる方向に直交している複数枚のファン２２、２２、２２を備えている。
【００２７】
ケース１８の外縁部には電極端子２３、２３が配備されている。この電源端子２３は前掲のコード８や電源３に接続される。
この実施形態では、ファンモータ２のケース１８は、ファンモータ部１９のシャフト２０が衣服１に略垂直になるようにポケット１２内に収まる。そこで、ファンモータ２が駆動されることで発生する風は、着衣者の背面６に向けて流れることになる。
【００２８】
この実施形態のファンモータ２では、ケース１８がファンモータ部１９のファン２２の抜けを防止するカバー２４を備えている。
カバー２４は、電極端子２３と一体に形成されており、ケース１８の開口端縁からケース１８の開口の半径方向で内側に向かって伸びている。なお、本明細書、図面において、ケース１８の外縁部に配備されている電極端子２３と、当該電極端子２３と一体に形成されているカバー２４との全体を電極端子一体型カバー２５と表すことがある。
【００２９】
図７、図８を用いて、カバー２４によって発揮される機能を説明する。 図７図示のファンモータ２は、図５、図６を用いて説明した構造の実施形態に係るものであり、基本的な構造は同一であるので、共通している構造部分には共通する符号を用いてその説明を省略する。
【００３０】
図８図示のファンモータ２００は、この実施形態のファンモータ２におけるカバー２４の機能を説明する比較のためのもので、カバー２４を備えていない点を除いては、図７図示のファンモータ２の構造と同一であるので、共通している構造部分には共通する符号を用いてその説明を省略する。
【００３１】
なお、図７、図８図示のファンモータ２、２００においては、ケース１８が、電極端子２３を介して電源３またはコード８に接続されるように、ケース１８の外縁部に配備されている電極端子２３の形状、構造が図５、図６図示のファンモータ２における電極端子２３の形状、構造と異なっており、つまり接続方法の選択によって適宜形状も変えられる。
【００３２】
図１０のように、ファンモータ部１９のシャフト２０が伸びる方向に直交しているファン２２の抜けを防止するカバー２４が配備されていない場合には、例えば、図８（ｂ）におけるシャフト２０の下端側に溝を設け、ここにワッシャー２６を装着してファン２２の抜け止めを行うのが一般的である。この場合には、ファンモータの組み立て時に抜け止めワッシャーの挿入作業が必要になる。
【００３３】
これに対して、図７図示の実施形態のように、ファンモータ部１９のシャフト２０が伸びる方向に直交しているファンモータ部１９のファン２２の抜けを防止するカバー２４が配備されている場合には、図７（ｂ）にＣで示している箇所に、図８（ｂ）に符号２６で示したファン抜け止め用のワッシャーを配備する必要が無くなる。そこで、組み立てが容易となり、これによって、低コストでの製作も可能になる。
【００３４】
また、上述したように、ケース１８の外縁部に配備されている電極端子２３と、当該電極端子２３と一体に形成されているカバー２４との全体を電極端子一体型カバー２５として形成することで、より低コストで、容易に製作することが可能になる。
【００３５】
この実施形態のファンモータ２では、図６図示のように、ファンモータ部１９が備えているモータ回路基板（不図示）と電極端子２３との間に電線２７が配線されている。図６では、電線２７は、符号２８で示すハンダ付け部でモータ回路基板（不図示）、電極端子２３に接続されている。
【００３６】
図９、１０及び、図１１、１２は、それぞれ、図３、図４を用いて説明したファンモータ２の他の実施形態を説明するものである。基本的な構造及び、それによって発揮される機能は、図３、図４を用いて説明したファンモータ２の実施形態と共通しているので、共通している構造部分には共通する符号を用いてその説明を省略する。
【００３７】
図１３もファンモータ２の他の例であるが、本例ではファンモータ２のケース１８の下端にファンを駆動する電源３を設けたものである。従ってこの電源付きファンモータはポケット１２にセットとして納まることになる。この電源３にはスイッチ２９が電池ケース側面に設けてあるが、スイッチ部は電線で引き出して袖部経由等して着衣者の操作し易い位置に引き回しても構わない。尚、符号３０は電池ケースの蓋である。
【産業上の利用可能性】
【００３８】
本考案は衣服の分野、とりわけ空調機能付きの衣服を製造し、販売し、使用するのに実用的である。
【符号の説明】
【００３９】
１……衣服、２……モータ付きファン、３……電源(電池)、４,５……網目状布、６……着衣者背面、７……袖、８……コード、９……空隙、１０……ポケットの底、１１……縫い代、１２……ポケット、１３……ポケット生地、１４……裏側開口部、１５……表側開口部、１６……ポケット縫い付け位置、１７……服地の裏側開口部取り付け位置、１８……２  ケース、１９……ファンモータ部、２０……シャフト、２１……ロータハブ、２２……ファン、２３……電極端子、２４……ファン２２の抜けを防止するカバー、２５……電極端子一体型カバー、２６……ワッシャー、２７……電線、２８……ハンダ付け部、２９……スイッチ、３０……電池ケースの蓋。
【図１】
0003225480.tif 000003
【図２】
0003225480.tif 000004
【図３】
0003225480.tif 000005
【図４】
0003225480.tif 000006
【図５】
0003225480.tif 000007
【図６】
0003225480.tif 000008
【図７】
0003225480.tif 000009
【図８】
0003225480.tif 000010
【図９】
0003225480.tif 000011
【図１０】
0003225480.tif 000012
【図１１】
0003225480.tif 000013
【図１２】
0003225480.tif 000014
【図１３】
0003225480.tif 000015